(57)【要約】【課題】  周辺機器を容易に一体に組み付け可能とし、かつ組み付ける周辺機器を自在に変更し得る電磁弁マニホールドを提供する。【解決手段】  複数の電磁弁ブロック１ａ〜１ｅと、電磁弁ブロック１ａ〜１ｅに連通する給気ポート５ｂを備えた給気ブロック２とを備え、給気ブロック２には少なくとも一つの周辺機器を接続する電磁弁マニホールドにおいて、給気ブロック２と周辺機器１０には、複数の周辺機器のうちの少なくとも一つを選択して、給気ブロック２に一体に連結可能とした連結装置８ａ，８ｂ，１２ａ，１２ｂ，１４を備えた。【選択図】      図１
2006002850.tif 000002
【特許請求の範囲】
【請求項１】
複数の電磁弁ブロックと、前記電磁弁ブロックに連通する給気ポートを備えた給気ブロックとを備え、前記給気ブロックには少なくとも一つの周辺機器を接続する電磁弁マニホールドにおいて、
前記給気ブロックと前記周辺機器には、複数の周辺機器のうちの少なくとも一つを選択して、前記給気ブロックに一体に連結可能とした連結装置を備えたことを特徴とする電磁弁マニホールド。
【請求項２】
前記給気ブロックには、残圧排出弁を前記周辺機器として、前記連結装置により一体に連結したことを特徴とする請求項１記載の電磁弁マニホールド。
【請求項３】
前記給気ブロックには、残圧排出弁及び減圧弁を前記周辺機器として、前記連結装置により一体に連結したことを特徴とする請求項１記載の電磁弁マニホールド。
【請求項４】
前記連結装置は、
前記給気ポートの周囲若しくは前記周辺機器の入力ポートの周囲に設けた第一の連結片と、
前記周辺機器の出力ポートの周囲に設けた第二の連結片と、
前記給気ポート若しくは入力ポートと前記出力ポートとを連通させた状態で、前記第一及び第二の連結片を固定する連結ブロックと
を備えたことを特徴とする請求項１乃至３のいずれか１項に記載の電磁弁マニホールド。
【請求項５】
前記第一及び第二の連結片は、前記給気ブロックあるいは周辺機器の側面に一体に形成したことを特徴とする請求項４記載の電磁弁マニホールド。
【発明の詳細な説明】
【技術分野】
【０００１】
この発明は、複数の電磁弁ブロックをマニホールド化して使用する電磁弁マニホールドに関するものである。
【背景技術】
【０００２】
電磁弁マニホールドは、複数の電磁弁ブロックが基台上に並設され、各電磁弁ブロックが制御装置によりシーケンス制御されて、エアシリンダー等を駆動するための空気圧を制御する。このような電磁弁マニホールドは、残圧排出弁、減圧弁、フィルター、圧力スイッチあるいはルブリケーター等の周辺機器とともに使用される。
【０００３】
上記のような周辺機器は、電磁弁マニホールドに対し所要の配管を介して接続されたり、あるいは電磁弁マニホールドの基台上にあらかじめ組みつけられて使用される。
特許文献１〜４には、電磁弁をマニホールド化するための連結装置、電磁弁と周辺機器との連結装置あるいは周辺機器の連結装置等が開示されている。
【特許文献１】実開平５−３２８０１号公報
【特許文献２】実開平７−１６７３５９号公報
【特許文献３】実開昭５５−１３２４８７号公報
【特許文献４】特開２００１−４１３４５号公報
【発明の開示】
【発明が解決しようとする課題】
【０００４】
電磁弁マニホールドと、その電磁弁マニホールドとは別体の周辺機器とを接続するためには、それぞれ所要の配管で接続する必要があり、その配管のための作業が煩雑であるとともに、配管のためのスペースも必要となる。
【０００５】
電磁弁マニホールドと周辺機器とを共通の基台上に一体に組み付ける構成も提案されているが、共通の基台上に組み付けるために専用の周辺機器あるいは専用のインターフェースが必要となる。また、特定の周辺機器を備えた専用の電磁弁マニホールドとして設計されるため、一体に組み付ける周辺機器を変更したり、あるいは追加するという自由度に乏しい。従って、コストが上昇するという問題点がある。
【０００６】
特許文献１〜４には、電磁弁マニホールドに任意の周辺機器を組み付け可能とする構成は開示されていない。
この発明の目的は、周辺機器を容易に一体に組み付け可能とし、かつ組み付ける周辺機器を自在に変更し得る電磁弁マニホールドを提供することにある。
【課題を解決するための手段】
【０００７】
上記目的は、複数の電磁弁ブロックと、前記電磁弁ブロックに連通する給気ポートを備えた給気ブロックとを備え、前記給気ブロックには少なくとも一つの周辺機器を接続する電磁弁マニホールドにおいて、前記給気ブロックと前記周辺機器には、複数の周辺機器のうちの少なくとも一つを選択して、前記給気ブロックに一体に連結可能とした連結装置を備えた電磁弁マニホールドにより達成される。
【発明の効果】
【０００８】
本発明によれば、周辺機器を容易に一体に組み付け可能とし、かつ組み付ける周辺機器を自在に変更し得る電磁弁マニホールドを提供することができる。
【発明を実施するための最良の形態】
【０００９】
以下、本発明を具体化した電磁弁マニホールドの一実施の形態を図面に従って説明する。図１に示す電磁弁マニホールドは、複数の電磁弁ブロック１ａ〜１ｅと、給排気ブロック（給気ブロック）２と、配線ブロック３とが基台４上に取り付けられる。
【００１０】
前記給排気ブロック２の正面には、第一の給気ポート５ａ及び排気ポート６が設けられ、その排気ポート６には図示しない排気管が接続される。
前記配線ブロック３は、前記各電磁弁ブロック１ａ〜１ｅの動作を制御する制御装置と各電磁弁ブロック１ａ〜１ｅとを電気的に接続するものであり、制御装置から供給される励磁信号を各電磁弁ブロック１ａ〜１ｅのソレノイドに供給する。
【００１１】
各電磁弁ブロック１ａ〜１ｅには、２つずつの出力ポート７ａ，７ｂがそれぞれ設けられ、内蔵される電磁弁の動作により、前記給排気ブロック２に供給される正圧空気が出力ポート７ａ，７ｂのいずれか一方からエアシリンダー等に供給される。このとき、エアシリンダー等から排出される排圧が出力ポート７ａ，７ｂの他方から給排気ブロック２の排気ポート６を介して排出される。
【００１２】
前記給排気ブロック２の側面には、前記第一の給気ポート５ａと連通する第二の給気ポート５ｂが設けられ、その第二の給気ポート５ｂの周囲には周辺機器を接続するための接続装置を構成する連結片８ａが一体に形成されている。
【００１３】
周辺機器を介して前記第二の給気ポート５ｂに正圧空気を供給する場合には、前記第一の給気ポート５ａは封止するか、あるいは他の電磁弁マニホールドに正圧空気を供給する分岐ポートとして使用可能である。
【００１４】
前記接続装置の具体的構成を説明すると、前記給排気ブロック２の側面には、接続装置のベース９が一体に形成されそのベース９の側面に前記第二の給気ポート５ｂが開口されている。前記連結片８ａは、前記ベース９の側面の上縁及び下縁を線対称状に延長して形成され、図４に示すように、断面楔状となるようにその背面が斜面に形成される。
【００１５】
周辺機器の一つである残圧排出弁１０の両側面には、入力ポート１１と出力ポートがそれぞれ設けられ、その入力ポート１１と出力ポートの上方及び下方に前記連結片８ａと同寸法の連結片８ｂ，８ｃがそれぞれ設けられる。
【００１６】
前記連結片８ａ，８ｂは、一対の連結ブロック１２ａ，１２ｂにより連結される。前記連結ブロック１２ａ，１２ｂは、断面台形状に形成され、その台形の短辺側の平面には前記連結片８ａ，８ｂを嵌合可能とした嵌合凹部１３がそれぞれ形成されている。前記嵌合凹部１３は、図４に示すように、前記連結片８ａ，８ｂを重ね合わせた形状に対応するように、断面台形状に形成されている。
【００１７】
前記連結ブロック１２ａの両端部には、締め付けボルト１４を挿通するための挿通孔１５が形成され、前記連結ブロック１２ｂには挿通孔１５に対向する位置に前記締め付けボルト１４を螺入可能としたねじ孔１６が形成されている。
【００１８】
このように構成された連結装置で、残圧排出弁１０を電磁弁マニホールドに連結するには、給排気ブロック２の第二の給気ポート５ｂと残圧排出弁１０の出力ポートの周縁部にＯリング２２を挟んだ状態で、連結片８ａ，８ｂをあてがう。この状態で、連結片８ａ，８ｂに対しその上方及び下方から連結ブロック１２ａ，１２ｂの嵌合凹部１３を嵌合させ、さらに締め付けボルト１４で連結ブロック１２ａ，１２ｂを締め付けて固定する。
【００１９】
すると、連結ブロック１２ａ，１２ｂの嵌合凹部１３内で連結片８ａ，８ｂが固定されるため、図２に示すように、電磁弁マニホールドの第二の給気ポート５ｂと残圧排出弁１０の出力ポートとが連通する状態で残圧排出弁１０が電磁弁マニホールドに連結される。
【００２０】
前記残圧排出弁１０構成及び動作は公知のものであり、背面側に操作つまみ１７が設けられるとともに、正面側に残圧排出部１８が形成される。そして、操作つまみ１７を操作することにより、電磁弁マニホールド内の残圧を残圧排出部１８から排出して、第一及び第二の給気ポート５ａ，５ｂを大気圧まで低下させることが可能となっている。
【００２１】
図３は、残圧排出弁１０に加えて、周辺機器の一つである減圧弁１９を連結した場合を示す。すなわち、減圧弁１９の出力ポート及び入力ポート２０が形成される側面には、前記連結片８ａ〜８ｃと同形状及び同寸法の連結片８ｄが形成され、同様な連結ブロック１２ａ，１２ｂを使用して連結可能である。
【００２２】
前記減圧弁１９の構成及び動作は公知のものであり、背面側に設けられる操作つまみ２１を操作することにより、入力ポート２０に供給される正圧を適宜に減圧して出力ポートに供給可能である。
【００２３】
上記のように構成された電磁弁マニホールドは、残圧排出弁１０を連結した状態では、残圧排出弁１０の入力ポート１１に正圧空気が供給され、残圧排出弁１０を介して電磁弁マニホールドに正圧空気が供給される。そして、各電磁弁ブロック１ａ〜１ｅの動作により、出力ポート７ａ，７ｂから正圧空気が交互に出力される。
【００２４】
また、残圧排出弁１０を操作して、各電磁弁ブロック１ａ〜１ｅ内の残圧を排出すれば、各電磁弁ブロック１ａ〜１ｅの保守点検を行うことができる。
残圧排出弁１０に加えて減圧弁１９を連結した状態では、減圧弁１９の入力ポート２０に正圧空気が供給される。そして、減圧弁１９の操作により各電磁弁ブロック１ａ〜１ｅに供給する正圧空気圧を適宜調整可能となる。
【００２５】
上記のように構成された電磁弁マニホールドでは、次に示す作用効果を得ることができる。
（１）電磁弁マニホールドに対し、配管を施すことなく周辺機器を容易に連結することができる。
（２）周辺機器として残圧排出弁１０を備えた電磁弁マニホールドを、容易に構成することができる。
（３）周辺機器として残圧排出弁１０及び減圧弁１９を備えた電磁弁マニホールドを容易に構成することができる。
（４）連結片、連結ブロック及び締め付けボルトからなる連結装置により、汎用の周辺機器を電磁弁マニホールドに対し、配管を施すことなく容易に連結することができる。従って、周辺機器を一体に連結した電磁弁マニホールドのコストを低減することができる。
（５）汎用の残圧排出弁１０を連結装置で電磁弁マニホールドに一体に連結することにより、残圧排出弁を一体に備えた電磁弁マニホールドのコストを低減することができる。
（６）汎用の残圧排出弁１０、減圧弁１９を連結装置で電磁弁マニホールドに一体に連結することにより、残圧排出弁及び減圧弁を一体に備えた電磁弁マニホールドのコストを低減することができる。
（７）電磁弁マニホールドと、残圧排出弁１０あるいは減圧弁１９等の周辺機器とをそれぞれ共通の連結装置で連結可能としたことにより、電磁弁マニホールドに一体に連結する周辺機器を任意に選択することができる。
【００２６】
上記実施の形態は、以下の態様で実施してもよい。
・図５に示すように、給排気ブロック２に設けられるベース９は、給排気ブロック２に対し別体に形成し、そのベース９を給排気ブロック２に取着するようにしてもよい。このような構成とすることにより、給排気ブロック２にはベース９を一体に設ける必要がないので、給排気ブロック２を切削加工のみで形成することができる等、その加工が容易となる。
・電磁弁マニホールドに連結する周辺機器は、残圧排出弁１０、減圧弁１９以外に、フィルター、圧力スイッチ、ルブリケーター等を任意に組み合わせて、同様な連結装置で連結してもよい。
【図面の簡単な説明】
【００２７】
【図１】残圧排出弁を備えた電磁弁マニホールドを示す分解斜視図である。
【図２】残圧排出弁を備えた電磁弁マニホールドを示す斜視図である。
【図３】残圧排出弁及び減圧弁を備えた電磁弁マニホールドを示す斜視図である。
【図４】連結装置を示す断面図である。
【図５】別例を示す分解斜視図である。
【符号の説明】
【００２８】
１ａ〜１ｅ      電磁弁ブロック
２        給気ブロック（給排気ブロック）
５ａ，５ｂ      給気ポート
８ａ〜８ｄ      連結装置（連結片）
１０      周辺機器（残圧排出弁）
１１，２０      入力ポート
１２ａ，１２ｂ      連結装置（連結ブロック）
１４      連結装置（締め付けボルト）
１９      周辺機器（減圧弁）
【図１】
2006002850.tif 000003
【図２】
2006002850.tif 000004
【図３】
2006002850.tif 000005
【図４】
2006002850.tif 000006
【図５】
2006002850.tif 000007